【手続補正書】
【提出日】平成18年4月11日(2006.4.11)
【手続補正１】
【補正対象書類名】明細書
【補正対象項目名】特許請求の範囲
【補正方法】変更
【補正の内容】
【特許請求の範囲】
【請求項１】  実質的に透明な基材と、結合剤母材中に分散された無機酸化物粒子を含むハードコート層と、前記ハードコートの上のペルフルオロポリエーテルを含む防汚層と、を含むディスプレイ要素。
【請求項２】  前記ハードコートが、フリーラジカル硬化結合剤中に分散されたコロイド無機酸化物粒子を含む、請求項１に記載のディスプレイ要素。
【請求項３】  前記コロイド無機酸化物粒子がコロイドシリカ粒子を含む、請求項２に記載のディスプレイ要素。
【請求項４】  前記結合剤が、１つ以上の共重合性フリーラジカル硬化性モノマー、オリゴマー、ポリマーまたはそれらの組合せから誘導される、請求項１に記載のディスプレイ要素。
【請求項５】  前記結合剤が導電性ポリマーを含む、請求項１に記載のディスプレイ要素。
【請求項６】  前記防汚層が、式：
Ｙ−（ＣａＦ２ａＯ）ｂ−ＣａＦ２ａ−Ｙ
を有するペルフルオロポリエーテルから誘導され、式中、各Ｙが、不規則に分布した―ＣａＦ２ａＯ―反復単位の鎖に結合した重合性基を含み、各ａが独立に１〜７であり、ｂがかかる反復単位の数であり、ｂが１〜３００の値を有し、前記ペルフルオロポリエーテルが約５００〜約２０，０００の数平均分子量を有する、請求項１に記載のディスプレイ要素。
【請求項７】  前記ペルフルオロポリエーテルが、（Ｃ２Ｈ５Ｏ）２ＣＨ３ＳｉＣ３Ｈ６ＮＨＣＯ（ＣＦ２Ｏ）１５（Ｃ２Ｆ４Ｏ）１３ＣＦ２ＣＯＮＨＣ３Ｈ６ＳｉＣＨ３（ＯＣ２Ｈ５）２、（Ｃ２Ｈ５Ｏ）３ＳｉＣ３Ｈ６ＮＨＣＯ（ＣＦ２Ｏ）１５（Ｃ２Ｆ４Ｏ）１３ＣＦ２ＣＯＮＨＣ３Ｈ６Ｓｉ（ＯＣ２Ｈ５）３、Ｆ（ＣＦ（ＣＦ３）ＣＦ２Ｏ）２５ＣＦ２ＣＦ３、Ｃ４Ｈ９ＮＨＣＯ（ＣＦ２Ｏ）１５（Ｃ２Ｆ４Ｏ）１３ＣＦ２ＣＯＮＨＣ４Ｈ９、ＣＨ２＝ＣＨＣＯＯＣ２Ｈ４ＮＨＣＯ（ＣＦ２Ｏ）１５（Ｃ２Ｆ４Ｏ）１３ＣＦ２ＣＯＮＨＣ２Ｈ４ＯＯＣＣＨ＝ＣＨ２、ＣＨ２＝ＣＨＣＯＯＣＨ２（ＣＦ２Ｏ）１５（Ｃ２Ｆ４Ｏ）１３ＣＦ２ＣＨ２ＯＯＣＣＨ＝ＣＨ２、（ＨＯＣＨ２）２ＣＨ２ＮＨＣＯ（ＣＦ２Ｏ）１５（Ｃ２Ｆ４Ｏ）１３ＣＦ２ＣＯＮＨＣＨ２（ＣＨ２ＯＨ）２、（Ｃ２Ｈ５Ｏ）３Ｓｉ（ＣＨ２）３ＮＨＣＯ（ＣＦ２ＣＦ２Ｏ）８ＣＦ２ＣＯＮＨ（ＣＨ２）３Ｓｉ（ＯＣ２Ｈ５）３、（Ｃ２Ｈ５Ｏ）２ＣＨ３Ｓｉ（ＣＨ２）３ＮＨＣＯ（ＣＦ２ＣＦ２Ｏ）８ＣＦ２ＣＯＮＨ（ＣＨ２）３ＳｉＣＨ３（ＯＣ２Ｈ５）２、（Ｃ２Ｈ５Ｏ）２ＣＨ３Ｓｉ（ＣＨ２）３ＮＨＣＯ（ＣＦ２ＣＦ２Ｏ）１４ＣＦ２ＣＯＮＨ（ＣＨ２）３ＳｉＣＨ３（ＯＣ２Ｈ５）２、（Ｃ２Ｈ５Ｏ）３Ｓｉ（ＣＨ２）３ＮＨＣＯ（ＣＦ２Ｃ（ＣＦ３）ＦＯ）１２ＣＦ２ＣＯＮＨ（ＣＨ２）３Ｓｉ（ＯＣ２Ｈ５）３、（Ｃ２Ｈ５Ｏ）２ＣＨ３Ｓｉ（ＣＨ２）３ＮＨＣＯ（ＣＦ２Ｃ（ＣＦ３）ＦＯ）１２ＣＦ２ＣＯＮＨ（ＣＨ２）３ＳｉＣＨ３（ＯＣ２Ｈ５）２、または
【化１】
2004511001.tif 000001
の少なくとも１つを含む、請求項１に記載のディスプレイ要素。
【請求項８】  前記ハードコート層が約１マイクロメータ〜約１００マイクロメータの厚さを有し、前記防汚層が約０．００５〜約２マイクロメータの厚さを有する、請求項１に記載のディスプレイ要素。
【請求項９】  実質的に透明な接着剤層を更に含む、請求項１に記載のディスプレイ要素。
【請求項１０】  接着剤が皮膚に対して不粘着性である、請求項９に記載のディスプレイ要素。
【請求項１１】  前記基材が、２つの主面を有し、一方のかかる面の上に前記ハードコート及び前記防汚層、他方のかかる面の上に接着剤層を有する、請求項１に記載のディスプレイ要素。
【請求項１２】  パーソナルデジタルアシスタント、携帯電話、タッチセンシティブスクリーン、腕時計、カーナビゲーションシステム、広域測位システム、測深機、計算機、電子ブック、ＣＤプレーヤ、ＤＶＤプレーヤ、プロジェクションテレビスクリーン、コンピュータモニタ、ノートブックコンピュータディスプレイまたは計器を更に含む、請求項１に記載のディスプレイ要素。
【請求項１３】  可撓性の実質的に透明な略平面基材であって、その一方の面の上に接着剤層を有し、その他方の面の上に、結合剤母材中に分散された無機酸化物粒子を含むハードコート層と前記ハードコートの上のペルフルオロポリエーテルを含む防汚層とを有する、可撓性の実質的に透明な略平面基材を含む、情報ディスプレイ用スクリーン保護体。
【請求項１４】  前記防汚層が、式：
Ｙ−（ＣａＦ２ａＯ）ｂ−ＣａＦ２ａ−Ｙ
を有するペルフルオロポリエーテルから誘導され、式中、各Ｙが、不規則に分布した―ＣａＦ２ａＯ―反復単位の鎖に結合した重合性基を含み、各ａが独立に１〜７であり、ｂがかかる反復単位の数であり、ｂが１〜３００の値を有し、前記ペルフルオロポリエーテルが約５００〜約２０，０００の数平均分子量を有する、請求項１３に記載のスクリーン保護体。
【請求項１５】  前記スクリーン保護体のハードコート面の上に粗表面を有する、請求項１３に記載のスクリーン保護体。
【請求項１６】  ディスプレイスクリーンを有する携帯電子装置用のスクリーン保護体であって、可撓性の実質的に透明なシートの積層体を含み、前記シートが、その一方の面の上に接着剤層を有し、その他方の面の上に、結合剤母材中に分散された無機酸化物粒子を含むハードコート層と前記ハードコートの上のペルフルオロポリエーテルを含む防汚層とを有し、前記シートがディスプレイスクリーンに合うように前記積層体が切断される、スクリーン保護体。
【請求項１７】  前記積層体が、パーソナルデジタルアシスタントまたはパーソナルデジタルアシスタントのカバーまたはケースに付着される、請求項１６に記載のスクリーン保護体。
【請求項１８】  接着剤が皮膚に対して不粘着性であり、前記スクリーン保護体のハードコート面の上に粗表面を有する、請求項１６に記載のスクリーン保護体。
【請求項１９】  結合剤母材中に分散された無機酸化物粒子を含むハードコート層と前記ハードコートの上のペルフルオロポリエーテルを含む防汚層とをその少なくとも一方の面上に有する可撓性の略平面基材を含む、防汚ハードコーテッドフィルム。
【請求項２０】  前記ペルフルオロポリエーテルが、
（Ｃ２Ｈ５Ｏ）２ＣＨ３ＳｉＣ３Ｈ６ＮＨＣＯ（ＣＦ２Ｏ）１５（Ｃ２Ｆ４Ｏ）１３ＣＦ２ＣＯＮＨＣ３Ｈ６ＳｉＣＨ３（ＯＣ２Ｈ５）２、（Ｃ２Ｈ５Ｏ）３ＳｉＣ３Ｈ６ＮＨＣＯ（ＣＦ２Ｏ）１５（Ｃ２Ｆ４Ｏ）１３ＣＦ２ＣＯＮＨＣ３Ｈ６Ｓｉ（ＯＣ２Ｈ５）３、Ｆ（ＣＦ（ＣＦ３）ＣＦ２Ｏ）２５ＣＦ２ＣＦ３、Ｃ４Ｈ９ＮＨＣＯ（ＣＦ２Ｏ）１５（Ｃ２Ｆ４Ｏ）１３ＣＦ２ＣＯＮＨＣ４Ｈ９、ＣＨ２＝ＣＨＣＯＯＣ２Ｈ４ＮＨＣＯ（ＣＦ２Ｏ）１５（Ｃ２Ｆ４Ｏ）１３ＣＦ２ＣＯＮＨＣ２Ｈ４ＯＯＣＣＨ＝ＣＨ２、ＣＨ２＝ＣＨＣＯＯＣＨ２（ＣＦ２Ｏ）１５（Ｃ２Ｆ４Ｏ）１３ＣＦ２ＣＨ２ＯＯＣＣＨ＝ＣＨ２、（ＨＯＣＨ２）２ＣＨ２ＮＨＣＯ（ＣＦ２Ｏ）１５（Ｃ２Ｆ４Ｏ）１３ＣＦ２ＣＯＮＨＣＨ２（ＣＨ２ＯＨ）２、（Ｃ２Ｈ５Ｏ）３Ｓｉ（ＣＨ２）３ＮＨＣＯ（ＣＦ２ＣＦ２Ｏ）８ＣＦ２ＣＯＮＨ（ＣＨ２）３Ｓｉ（ＯＣ２Ｈ５）３、（Ｃ２Ｈ５Ｏ）２ＣＨ３Ｓｉ（ＣＨ２）３ＮＨＣＯ（ＣＦ２ＣＦ２Ｏ）８ＣＦ２ＣＯＮＨ（ＣＨ２）３ＳｉＣＨ３（ＯＣ２Ｈ５）２、（Ｃ２Ｈ５Ｏ）２ＣＨ３Ｓｉ（ＣＨ２）３ＮＨＣＯ（ＣＦ２ＣＦ２Ｏ）１４ＣＦ２ＣＯＮＨ（ＣＨ２）３ＳｉＣＨ３（ＯＣ２Ｈ５）２、（Ｃ２Ｈ５Ｏ）３Ｓｉ（ＣＨ２）３ＮＨＣＯ（ＣＦ２Ｃ（ＣＦ３）ＦＯ）１２ＣＦ２ＣＯＮＨ（ＣＨ２）３Ｓｉ（ＯＣ２Ｈ５）３、（Ｃ２Ｈ５Ｏ）２ＣＨ３Ｓｉ（ＣＨ２）３ＮＨＣＯ（ＣＦ２Ｃ（ＣＦ３）ＦＯ）１２ＣＦ２ＣＯＮＨ（ＣＨ２）３ＳｉＣＨ３（ＯＣ２Ｈ５）２、または
【化２】
2004511001.tif 000002
の少なくとも１つを含む、請求項１９に記載のフィルム。
【請求項２１】  防汚ハードコートの作製方法であって、フリーラジカル重合性結合剤母材中に分散された無機酸化物粒子を含むセラマーコーティングを基材上にコート及び硬化する工程と、フリーラジカル重合性フルオロケミカルを含む防汚層を前記セラマーコーティング上にコート及び硬化する工程と、を含む方法。
【請求項２２】  ディスプレイ要素の作製方法であって、フリーラジカル重合性結合剤母材中に分散された無機酸化物粒子を含む硬化性ハードコート層を実質的に透明な基材上に適用する工程と、前記ハードコート層を硬化する工程と、ペルフルオロポリエーテルを含む硬化性防汚層を前記ハードコート層に適用する工程と、前記防汚層を硬化する工程と、を含む方法。
【請求項２３】  前記ペルフルオロポリエーテルが、式：
Ｙ−（ＣａＦ２ａＯ）ｂ−ＣａＦ２ａ−Ｙ
を有し、式中、各Ｙが、不規則に分布した―ＣａＦ２ａＯ―反復単位の鎖に結合した重合性基を含み、各ａが独立に１〜７であり、ｂがかかる反復単位の数であり、ｂが１〜３００の値を有し、前記ペルフルオロポリエーテルが約５００〜約２０，０００の数平均分子量を有する、請求項２２に記載の方法。
【請求項２４】  前記基材が第１及び第２の主面を有し、前記ハードコートが前記第１の主面に適用されると共に、接着剤を前記第２の主面に適用する工程を更に含む、請求項２２に記載の方法。
【請求項２５】  情報ディスプレイ用スクリーン保護体の作製方法であって、
ａ）フリーラジカル重合性結合剤母材中に分散された無機酸化物粒子を含む硬化性ハードコート層を実質的に透明な略平面基材の一方の面に適用し、前記ハードコート層を硬化し、ペルフルオロポリエーテルを含む硬化性防汚層を前記ハードコート層に適用し、前記防汚層を硬化する工程、及び
ｂ）接着剤層を前記基材の他方の面に適用する工程、を含む方法。
【請求項２６】  前記ペルフルオロポリエーテルが、式：
Ｙ−（ＣａＦ２ａＯ）ｂ−ＣａＦ２ａ−Ｙ
を有し、式中、各Ｙが、不規則に分布した―ＣａＦ２ａＯ―反復単位の鎖に結合した重合性基を含み、各ａが独立に１〜７であり、ｂがかかる反復単位の数であり、ｂが１〜３００の値を有し、前記ペルフルオロポリエーテルが約５００〜約２０，０００の数平均分子量を有する、請求項２５に記載の方法。
【請求項２７】  ディスプレイスクリーンを有する携帯電子装置用スクリーン保護体の作製方法であって、
ａ）フリーラジカル重合性結合剤母材中に分散された無機酸化物粒子を含む硬化性ハードコート層を実質的に透明な略平面基材の一方の面に適用し、前記ハードコート層を硬化し、ペルフルオロポリエーテルを含む硬化性防汚層を前記ハードコート層に適用し、前記防汚層を硬化する工程、
ｂ）接着剤層を前記基材の他方の面に適用する工程、
ｃ）コートされた基材をシートの積層体に形成する工程、及び
ｄ）前記シートがディスプレイスクリーンに合うように前記積層体を切断する工程、を含む方法。
【請求項２８】  前記ペルフルオロポリエーテルが、式：
Ｙ−（ＣａＦ２ａＯ）ｂ−ＣａＦ２ａ−Ｙ
を有し、式中、各Ｙが、不規則に分布した―ＣａＦ２ａＯ―反復単位の鎖に結合した重合性基を含み、各ａが独立に１〜７であり、ｂがかかる反復単位の数であり、ｂが１〜３００の値を有し、前記ペルフルオロポリエーテルが約５００〜約２０，０００の数平均分子量を有する、請求項２７に記載の方法。
【請求項２９】  情報ディスプレイ用の粗スクリーン保護シートを作製するための連続ロール対ロール製造方法であって、
ａ）フリーラジカル重合性結合剤母材中に分散された無機酸化物粒子を含む実質的に溶剤を含まない硬化性セラマー組成物を、実質的に透明な基材と少なくとも０．１マイクロメータの平均表面粗さを有するロールとの間のニップ領域中に堆積させる工程と、
ｂ）前記セラマー組成物のビードを前記ニップ中に形成するために前記ニップに十分な圧力を適用する間、十分な速度で前記ロールを移動させる工程と、
ｃ）前記セラマー組成物が前記ロールに接している間に（例えば、紫外線を用いて）前記セラマー組成物を前記基材にわたって硬化する工程と、
ｄ）前記硬化セラマーコーティングを前記ロールから除去する工程と、
ｅ）ペルフルオロポリエーテルを含む硬化性防汚層を前記硬化セラマーコーティングに適用する工程と、
ｆ）前記防汚層を硬化する工程と、を含む方法。
【請求項３０】  前記コートされた基材を電子ディスプレイ装置のスクリーンに合うように寸法を決めたシートに変換する工程を更に含む、請求項２９に記載の方法。
【請求項３１】  前記装置が携帯用装置を含む、請求項３０に記載の方法。
【請求項３２】  前記装置がパーソナルデジタルアシスタントを含む、請求項３０に記載の方法。
【請求項３３】  前記シートが積層体に形成される、請求項２９に記載の方法。
【請求項３４】  前記無機酸化物粒子がアクリレート官能化されている、請求項１に記載のディスプレイ要素。
【請求項３５】  前記ハードコート層が厚さ１〜１００マイクロメータである、請求項１に記載のディスプレイ要素。
【請求項３６】  前記防汚層がハードコートの上にコートされている、請求項１に記載のディスプレイ要素。